(57)【要約】【課題】異音を生じることを防止できるとともにアクチュエータを移動自在に支持する線状弾性体がねじれることを防止できるピックアップ装置を提供する。【解決手段】ピックアップ装置１は移動ベース１７とアクチュエータ１８と線状弾性体１９と緩衝シート２０を備えている。移動ベース１７は光ディスクの径方向に沿って移動自在である。アクチュエータ１８は光ディスクから情報を読み出すとともに移動ベース１７に設けられている。線状弾性体１９は一端部が移動ベース１７に取り付けられ他端部がアクチュエータ１８に取り付けられてアクチュエータ１８をフォーカス方向とトラッキング方向Ｘとの双方に移動自在に支持する。緩衝シート２０は移動ベース１７に取り付けられアクチュエータ１８と当接可能である。緩衝シート２０は線状弾性体１９の長手方向の交差する方向に離間して設けられアクチュエータ１８の重心ＣＧを互いの間に位置付ける。【選択図】図４
2006012237.tif 000002
【特許請求の範囲】
【請求項１】
光ディスクの径方向に沿って移動自在に設けられた移動ベースと、
前記光ディスクに記録された情報を読み出すとともに、前記移動ベースに前記光ディスクに接離する方向と前記光ディスクの径方向との双方に沿って移動自在に設けられたアクチュエータと、
一端部が前記移動ベースに取り付けられかつ他端部が前記アクチュエータに取り付けられて、前記移動ベースに対し前記アクチュエータを前記光ディスクに接離する方向と前記光ディスクの径方向との双方に沿って移動自在に支持する線状弾性体と、
前記移動ベースに取り付けられかつ前記アクチュエータが前記光ディスクから離れる方向に移動すると該アクチュエータと当接する緩衝シートと、を備えたピックアップ装置であって、
平面視において、前記アクチュエータの重心を互いの間に位置付ける位置に前記緩衝シートを設けたことを特徴とするピックアップ装置。
【請求項２】
前記緩衝シートは、前記線状弾性体の長手方向に対し直交する方向に離間して一対設けられたことを特徴とする請求項１記載のピックアップ装置。
【請求項３】
前記緩衝シートは、前記線状弾性体の長手方向に離間して一対設けられたことを特徴とする請求項１記載のピックアップ装置。
【請求項４】
光ディスクの径方向に沿って移動自在に設けられる移動ベースと、
前記光ディスクに記録された情報を読み出すとともに、前記移動ベースに前記光ディスクに接離する方向と前記光ディスクの径方向との双方に沿って移動自在に設けられたアクチュエータと、
一端部が前記移動ベースに取り付けられかつ他端部が前記アクチュエータに取り付けられて、前記移動ベースに対し前記アクチュエータを前記光ディスクに接離する方向と前記光ディスクの径方向との双方に沿って移動自在に支持する線状弾性体と、
前記移動ベースに取り付けられかつ前記アクチュエータが前記光ディスクから離れる方向に移動すると該アクチュエータと当接する緩衝シートと、を備えたピックアップ装置であって、
平面視において、前記アクチュエータの重心を囲む３箇所以上の位置に前記緩衝シートを設けたことを特徴とするピックアップ装置。
【発明の詳細な説明】
【技術分野】
【０００１】
本発明は、例えば、情報を読み出すアクチュエータを光ディスクの径方向に沿って移動自在にするピックアップ装置に関する。
【背景技術】
【０００２】
ＣＤ（Compact Disk）、ＤＶＤ（Digital Versatile Disk）などの光ディスクに記録された情報を読み出すピックアップ装置は、移動ベースと、アクチュエータと、線状弾性体を備えている。
【０００３】
移動ベースは、光ディスクの径方向に沿って移動自在に設けられている。アクチュエータは、前記光ディスクにレーザ光を照射するなどして、該光ディスクに記録された情報を読み出す。アクチュエータは、前記移動ベースに前記光ディスクに接離する方向（以下フォーカス方向と記す）と、前記光ディスクの径方向（以下トラッキング方向と記す）との双方に沿って移動自在に設けられている。また、アクチュエータは、印加されることで、移動ベースに対し前述したフォーカス方向とトラッキング方向との双方に沿って移動するためのコイルを備えている。
【０００４】
線状弾性体は、複数設けられている。線状弾性体は、一端部が前記移動ベースに取り付けられかつ他端部が前記アクチュエータに取り付けられている。線状弾性体は、移動ベースに対しアクチュエータを前述したフォーカス方向とトラッキング方向との双方に沿って移動自在にする。
【０００５】
前述した構成のピックアップ装置は、前述した光ディスクに記録された情報を読み出して再生する光ディスク再生装置を構成する。この種の光ディスク再生装置は、たとえば、移動体としての自動車に搭載されることがある。自動車等に光ディスク再生装置が搭載されると、前述したピックアップ装置は、特に前述したコイルに印加されていない状態則ち非使用状態で、前述したアクチュエータが移動ベースに対し前述したフォーカス方向などに沿って移動することがある。
【０００６】
特に、前述したフォーカス方向に沿ってアクチュエータが光ディスクから離れて移動ベースに近づくと、該移動ベースに衝突することがあった。そして、前述した自動車などの走行中の振動により、前述したアクチュエータが移動ベースに対し振動して、前述した移動ベースへの衝突を繰り返して、異音を生じることがあった。
【０００７】
この種の異音の発生を防止するために、たとえば、特許文献１では、前述した移動ベースに緩衝シートを取り付けることが提案されている。特許文献１では、移動ベースに衝突しようとするアクチュエータに当接する位置に緩衝シートを取り付け、アクチュエータが移動ベースに衝突することを防止している。
【特許文献１】特開平９−３２００７９号公報
【発明の開示】
【発明が解決しようとする課題】
【０００８】
前述した特許文献１のように、移動ベースに緩衝シートを単に取り付けただけであると、アクチュエータが緩衝シートに当接した際に、線状弾性体が弾性限界を超えてねじれてしまうことが考えられる。このように、移動ベースに緩衝シートを単に取り付けただけであると、線状弾性体が塑性変形することが考えられる。このように、線状弾性体が塑性変形することは、望ましくない。
【０００９】
本発明の目的は、例えば、異音を生じることを防止できるとともにアクチュエータを移動自在に支持する線状弾性体がねじれることを防止できるピックアップ装置を提供することにある。
【課題を解決するための手段】
【００１０】
前記課題を解決し目的を達成するために、請求項１に記載の本発明のピックアップ装置は、光ディスクの径方向に沿って移動自在に設けられた移動ベースと、前記光ディスクに記録された情報を読み出すとともに、前記移動ベースに前記光ディスクに接離する方向と前記光ディスクの径方向との双方に沿って移動自在に設けられたアクチュエータと、一端部が前記移動ベースに取り付けられかつ他端部が前記アクチュエータに取り付けられて、前記移動ベースに対し前記アクチュエータを前記光ディスクに接離する方向と前記光ディスクの径方向との双方に沿って移動自在に支持する線状弾性体と、前記移動ベースに取り付けられかつ前記アクチュエータが前記光ディスクから離れる方向に移動すると該アクチュエータと当接する緩衝シートと、を備えたピックアップ装置であって、平面視において、前記アクチュエータの重心を互いの間に位置付ける位置に前記緩衝シートを設けたことを特徴としている。
【００１１】
請求項４に記載の本発明のピックアップ装置は、光ディスクの径方向に沿って移動自在に設けられる移動ベースと、前記光ディスクに記録された情報を読み出すとともに、前記移動ベースに前記光ディスクに接離する方向と前記光ディスクの径方向との双方に沿って移動自在に設けられたアクチュエータと、一端部が前記移動ベースに取り付けられかつ他端部が前記アクチュエータに取り付けられて、前記移動ベースに対し前記アクチュエータを前記光ディスクに接離する方向と前記光ディスクの径方向との双方に沿って移動自在に支持する線状弾性体と、前記移動ベースに取り付けられかつ前記アクチュエータが前記光ディスクから離れる方向に移動すると該アクチュエータと当接する緩衝シートと、を備えたピックアップ装置であって、平面視において、前記アクチュエータの重心を囲む３箇所以上の位置に前記緩衝シートを設けたことを特徴としている。
【発明を実施するための最良の形態】
【００１２】
以下、本発明の一実施形態にかかるピックアップ装置を説明する。本発明の一実施形態にかかるピックアップ装置は、平面視において、アクチュエータの重心を互いの間に位置付ける位置に緩衝シートを設けることで、アクチュエータが緩衝シートに接触した際に線状弾性体がねじれることを防止して、線状弾性体の塑性変形を防止している。
【００１３】
また、本発明では、線状弾性体の長手方向に直交する方向に離間して緩衝シートを設けても良い。
【００１４】
さらに、本発明では、線状弾性体の長手方向に離間して、緩衝シートを設けても良い。
【００１５】
さらに、本発明では、平面視において、アクチュエータの重心を囲む３箇所以上の位置に緩衝シートを設けても良い。
【実施例１】
【００１６】
本発明の第１実施例を、図１ないし図４に基づいて説明する。図１に示すピックアップ装置１は、例えば、移動体としての自動車などに搭載されて、ＣＤやＤＶＤなどの光ディスクに記録された情報を読み出して、再生するＣＤプレーヤやＤＶＤプレーヤなどの光ディスク再生装置を構成する。ピックアップ装置１は、前述した光ディスクに記録された情報を読み出す。
【００１７】
ピックアップ装置１は、図１に示すように、シャーシ２と、駆動源としてのモータ３と、ねじ軸としてのリードスクリュー４と、クランプ機構５と、ピックアップ部６とを備えている。
【００１８】
シャーシ２は、板金であり、平板状に形成されている。モータ３は、シャーシ２に固定されている。モータ３は、図１に示すように、その出力軸７にプーリ８を取り付けている。リードスクリュー４は、図中の一点鎖線Ｐ（以下軸線と呼び、軸芯ともいう）に沿って延在した棒状に形成されている。リードスクリュー４は、軸線Ｐ回りに回転自在に、シャーシ２に支持されている。
【００１９】
リードスクリュー４は、ねじ溝を備えている。ねじ溝は、リードスクリュー４の外表面に形成されている。リードスクリュー４は、一端部に、歯車９が取り付けられている。歯車９は、伝達歯車１０と噛み合っている。伝達歯車１０は、シャーシ２に回転自在に支持されている。伝達歯車１０は、伝達回転体１１の歯車部１２と噛み合っている。
【００２０】
伝達回転体１１は、シャーシ２に回転自在に支持されている。伝達回転体１１は、互いに同軸的な歯車部１２とプーリ１３とを一体に備えている。プーリ１３と、前記プーリ８とには、無端ベルト１４が掛け渡されている。無端ベルト１４は、輪状である。前述した構成によって、リードスクリュー４は、モータ３の回転駆動力がプーリ８及びプーリ１３を介して歯車９に伝達されることにより、軸線Ｐ回りに回転される。
【００２１】
クランプ機構５は、図１に示すように、回転テーブル１５と、複数の突没部材１６などを備えている。回転テーブル１５は、円盤状に形成されており、表面上に光ディスクを置く。回転テーブル１５は、表面上に置かれた光ディスクと同軸となる。また、回転テーブル１５は、図示しないスピンドルモータにより軸芯周りに回転される。
【００２２】
突没部材１６は、回転テーブル１５の表面から突没自在に設けられている。突没部材１６は、回転テーブル１５の表面から突出して光ディスクの中央孔の内縁部に係止する。突没部材１６が光ディスクの中央孔の内縁部に係止して、クランプ機構５は、光ディスクをクランプする。そして、クランプ機構５は、光ディスクをクランプして、回転テーブル１５を回転する。
【００２３】
ピックアップ部６は、図１ないし図３に示すように、移動ベース１７と、アクチュエータ１８と、線状弾性体１９と、緩衝シート２０（図２及び図３に示す）と、を備えている。移動ベース１７は、厚手の平板状の本体部２１と、この本体部２１の長手方向の両端に設けられた一対の突出部２２と、を一体に備えている。
【００２４】
本体部２１は、長手方向の一端部が前述したリードスクリュー４と螺合している。本体部２１則ち移動ベース１７は、リードスクリュー４が軸線Ｐ周りに回転することで、前述した回転テーブル１５に接離し、該回転テーブル１５にクランプされた光ディスクの径方向に沿って移動する。なお、接離とは、互いに近づいたり離れることを示している。
【００２５】
このように、本体部２１則ち移動ベース１７は、光ディスクの径方向に沿って移動自在に設けられている。また、本体部２１の長手方向は、前述したリードスクリュー４の軸線Ｐ則ち移動ベース１７の移動方向に対し直交している。突出部２２は、本体部２１の長手方向の両端から回転テーブル１５にクランプされる光ディスクに向かって凸に形成されている。
【００２６】
アクチュエータ１８は、前述した光ディスクに記録された情報を読み出す。アクチュエータ１８は、対物レンズ２３（図２などに示す）が前述した回転テーブル１５にクランプされた光ディスクの情報記憶面に相対する格好で、前述した一対の突出部２２間に配置されている。
【００２７】
アクチュエータ１８は、図３中の二点鎖線及び一点鎖線で示すように、移動ベース１７に前述した回転テーブル１５にクランプされた光ディスクの情報記憶面に接離する方向（光ディスクの表面に対し直交する方向でかつ図３中に矢印で示すとともに、以下フォーカス方向と呼ぶ）Ｚと、前述した回転テーブル１５にクランプされた光ディスクの径方向（図２中に矢印で示すとともに、以下トラッキング方向と呼ぶ）Ｘと、の双方に沿って、移動自在に設けられている。なお、フォーカス方向Ｚは、光ディスクの情報記憶面則ち表面に直交している。
【００２８】
また、前述したアクチュエータ１８は、その重心ＣＧが、平面視では図４に示すように対物レンズ２３の中央に位置し、断面では図３に示すように厚み方向の中央に位置している。さらに、アクチュエータ１８には、前述したフォーカス方向Ｚとトラッキング方向Ｘとに沿って移動するためのコイル２４，２５が巻かれている。
【００２９】
線状弾性体１９は、金属からなり断面四角形の棒状（針状又は線状ともいう）に形成されている。線状弾性体１９は、薄手の板金が打ち抜かれるなどして形成される。線状弾性体１９は、一端部が前述した移動ベース１７の一方の突出部２２に取り付けられ、他端部が前述したアクチュエータ１８に取り付けられている。線状弾性体１９は、その長手方向が前述したリードスクリュー４の軸線Ｐ則ち移動ベース１７の移動方向に対し直交する状態に配されている。
【００３０】
線状弾性体１９は、図示例では、四つ設けられている。四つの線状弾性体のうち一対の線状弾性体１９と、他の一対の線状弾性体１９とは、移動ベース１７の移動方向に沿って互いに間隔をあけて配されている。また、一対の線状弾性体１９は、前述したフォーカス方向Ｚに沿って、間隔をあけて配されている。これら複数の線状弾性体１９は、互いに平行に配されている。
【００３１】
また、線状弾性体１９は、その弾性変形していない中立状態において、前述した一対の突出部２２の中央にアクチュエータ１８を位置付ける。また、線状弾性体１９は、弾性変形することで、前述したフォーカス方向Ｚとトラッキング方向Ｘとの双方に沿って、アクチュエータ１８を移動自在に支持する。
【００３２】
緩衝シート２０は、例えば、各種の変形が可能な樹脂や不織布などからなり、シート状に形成されている。本実施例では、緩衝シート２０は、一対設けられている。緩衝シート２０は、移動ベース１７の一対の突出部２２間でかつ本体部２１のアクチュエータ１８と相対する表面に貼り付けられている。緩衝シート２０は、平面形状が正方形に形成されている。
【００３３】
一対の緩衝シート２０は、前述した線状弾性体１９の長手方向に対し直交する方向に離間して設けられているとともに、前述したアクチュエータ１８の外縁部と本体部２１との間則ちアクチュエータ１８の外縁部の下方に配されている。このため、一対の緩衝シート２０には、回転テーブル１５にクランプされた光ディスクから離れて本体部２１則ち移動ベース１７に近づいたアクチュエータ１８の外縁部が当接する。
【００３４】
このため、緩衝シート２０は、図４に示すように、平面視において、アクチュエータ１８の重心ＣＧを互いの間に位置付ける位置に設けられている。緩衝シート２０は、アクチュエータ１８がフォーカス方向Ｚに沿って本体部２１則ち移動ベース１７に近づくと、該アクチュエータ１８に接触して、アクチュエータ１８が衝突する際に生じる異音を低減する（異音の発生を防止する）。
【００３５】
前述した構成のピックアップ装置１は、回転テーブル１５に光ディスクをクランプし、回転テーブル１５を回転して、ピックアップ部６を軸線Ｐに沿って移動して、アクチュエータ１８で光ディスクの情報記憶面の所望の位置から情報を読み出す。このとき、アクチュエータ１８は、前述したコイル２４，２５に印加されて、光ディスクの情報記憶面の所望の位置から情報を読み出すことができるように、フォーカス方向Ｚとトラッキング方向Ｘとに沿って移動される。
【００３６】
また、前述したピックアップ装置１は、光ディスクから情報を読み出さない非使用状態では、前述したコイル２４，２５に印加されない。このため、光ディスク再生装置が自動車などに搭載されると、該自動車の走行中などの振動により、アクチュエータ１８が、移動ベース１７に対しフォーカス方向Ｚとトラッキング方向Ｘとに沿って移動する（振動する）。このとき、アクチュエータ１８が、移動ベース１７の本体部２１に近づくと、緩衝シート２０に衝突して、異音が発生することを防止する。
【００３７】
本実施例によれば、一対の緩衝シート２０が、線状弾性体１９の長手方向に直交する方向に離間して設けられ、かつ、平面視において、アクチュエータ１８の重心ＣＧを互いの間に位置付ける位置に設けられている。このため、アクチュエータ１８が移動ベース１７に近づいて該移動ベース１７に衝突しようとすると、一対の位置の双方に設けられた緩衝シート２０にアクチュエータ１８が略同時に接触する。このため、アクチュエータ１８が緩衝シート２０に接触する際に、線状弾性体１９がねじれることを防止できる。
【００３８】
このため、線状弾性体１９が塑性変形することを防止できる。したがって、異音を生じることを防止できるとともにアクチュエータ１８を移動自在に支持する線状弾性体１９が塑性変形することを防止できる。
【００３９】
前述した第１実施例では、緩衝シート２０を正方形に形成している。しかしながら、本発明では、図５に示すように、緩衝シート２０を矩形状（長方形）に形成しても良い。この図５において、前述した第１実施例と同一部分には、同一符号を付して説明を省略する。この図５に示す場合においても、平面視において、アクチュエータ１８の重心ＣＧを互いの間に位置付ける位置に緩衝シート２０を設けている。一対の緩衝シート２０を線状弾性体１９の長手方向に対し直交する方向に離間して設けている。さらに、それぞれの緩衝シート２０の長手方向を線状弾性体１９の長手方向と平行にしている。こうすることで、線状弾性体１９が塑性変形することを防止できるようにしている。
【実施例２】
【００４０】
本発明の第２実施例を、図６に基づいて説明する。なお、前述した第１実施例と同一部分には、同一符号を付して説明を省略する。
【００４１】
本実施例では、緩衝シート２０は、平面形状が正方形に形成されており、一対設けられている。一対の緩衝シート２０は、前述した線状弾性体１９の長手方向に離間して設けられているとともに、前述したアクチュエータ１８の外縁部と本体部２１との間則ちアクチュエータ１８の外縁部の下方に配されている。このため、一対の緩衝シート２０には、回転テーブル１５にクランプされた光ディスクから離れて本体部２１則ち移動ベース１７に近づいたアクチュエータ１８の外縁部が当接する。
【００４２】
このため、緩衝シート２０は、図６に示すように、平面視において、アクチュエータ１８の重心ＣＧを互いの間に位置付ける位置に設けられている。本実施例においても、緩衝シート２０は、アクチュエータ１８がフォーカス方向Ｚに沿って本体部２１則ち移動ベース１７に近づくと、該アクチュエータ１８に接触して、アクチュエータ１８が衝突する際に生じる異音を低減する（異音の発生を防止する）。
【００４３】
本実施例によれば、一対の緩衝シート２０が、線状弾性体１９の長手方向に離間して設けられ、かつ、平面視において、アクチュエータ１８の重心ＣＧを互いの間に位置付ける位置に設けられている。このため、アクチュエータ１８が移動ベース１７に近づいて該移動ベース１７に衝突しようとすると、一対の位置のうち一方に設けられた緩衝シート２０に接触した後他方の緩衝シート２０に接触する。緩衝シート２０が、線状弾性体１９の長手方向に離間して設けられ、かつ、平面視において、アクチュエータ１８の重心ＣＧを互いの間に位置付ける位置に設けられているため、アクチュエータ１８が緩衝シート２０に接触する際に、線状弾性体１９がねじれることを防止できる。
【００４４】
このため、線状弾性体１９が塑性変形することを防止できる。したがって、異音を生じることを防止できるとともにアクチュエータ１８を移動自在に支持する線状弾性体１９が塑性変形することを防止できる。
【００４５】
前述した第２実施例では、緩衝シート２０を正方形に形成している。しかしながら、本発明では、図７に示すように、緩衝シート２０を矩形状（長方形）に形成しても良い。この図７において、前述した第２実施例と同一部分には、同一符号を付して説明を省略する。この図７に示す場合においても、平面視において、アクチュエータ１８の重心ＣＧを互いの間に位置付ける位置に緩衝シート２０を設けている。一対の緩衝シート２０を、線状弾性体１９の長手方向に離間して設けている。さらに、それぞれの緩衝シート２０の長手方向を線状弾性体１９の長手方向に直交させている。こうすることで、線状弾性体１９が塑性変形することを防止できるようにしている。
【実施例３】
【００４６】
本発明の第３実施例を、図８に基づいて説明する。なお、前述した第１及び第２実施例と同一部分には、同一符号を付して説明を省略する。
【００４７】
本実施例では、緩衝シート２０を平面形状が四角形の枠状に形成している。緩衝シート２０は、アクチュエータ１８の全周に亘って、該アクチュエータ１８の外縁部と本体部２１の表面との間（アクチュエータ１８の外縁部の下方）に設けられている。このため、緩衝シート２０には、回転テーブル１５にクランプされた光ディスクから離れて本体部２１則ち移動ベース１７に近づいたアクチュエータ１８の外縁部が当接する。
【００４８】
このため、緩衝シート２０は、図８に示すように、平面視において、アクチュエータ１８の重心ＣＧを互いの間に位置付ける位置に設けられている。さらに、一対の緩衝シート２０は、線状弾性体１９の長手方向と該長手方向に直交する方向との双方に離間して設けられている。又、緩衝シート２０は、図８に示すように、平面視において、アクチュエータ１８の重心ＣＧを囲む３箇所以上の位置それぞれに設けられている。本実施例においても、緩衝シート２０は、アクチュエータ１８がフォーカス方向Ｚに沿って本体部２１則ち移動ベース１７に近づくと、該アクチュエータ１８に接触して、アクチュエータ１８が衝突する際に生じる異音を低減する（異音の発生を防止する）。
【００４９】
本実施例によれば、平面視において、アクチュエータ１８の重心ＣＧを囲む３箇所以上の位置に緩衝シート２０を設けている。このため、アクチュエータ１８が緩衝シート２０に接触する際に、線状弾性体１９がねじれることを防止できる。
【００５０】
このため、線状弾性体１９が塑性変形することを防止できる。したがって、異音を生じることを防止できるとともにアクチュエータ１８を移動自在に支持する線状弾性体１９が塑性変形することを防止できる。
【００５１】
また、本実施例では、緩衝シート２０の平面形状を、図９及び図１０に示すように、コ字状に形成しても良い。図９及び図１０において、前述した第３実施例と同一部分には、同一符号を付して説明を省略する。
【００５２】
図９に示す場合には、緩衝シート２０を、平面視において、アクチュエータ１８の重心ＣＧを互いの間に位置付ける位置に設け、かつ線状弾性体１９の長手方向に直交する方向に離間して設けているとともに、アクチュエータ１８の重心ＣＧを囲む３箇所以上の位置に設けている。
【００５３】
図１０に示す場合には、緩衝シート２０を、平面視において、アクチュエータ１８の重心ＣＧを互いの間に位置付ける位置に設け、かつ線状弾性体１９の長手方向に離間して設けているとともに、アクチュエータ１８の重心ＣＧを囲む３箇所以上の位置に緩衝シート２０を設けている。
【００５４】
また、本実施例では、図１１に示すように、緩衝シート２０を複数設け、これら複数の緩衝シート２０の平面形状を正方形に形成し、平面視において、アクチュエータ１８の重心ＣＧを囲む３箇所以上の位置に緩衝シート２０を設けても良い。なお、図１１では、緩衝シート２０を三つ設けている。
【００５５】
前述したように、図９、図１０及び図１１に示す場合においても、平面視において、アクチュエータ１８の重心ＣＧを囲む３箇所以上の位置それぞれに緩衝シート２０を設けている。こうすることで、線状弾性体１９が塑性変形することを防止できるようにしている。
【００５６】
また、前述した実施例では、ピックアップ装置１は自動車などの移動体に取り付けられる光ディスク再生装置を構成している。しかしながら、本発明では、ピックアップ装置１は、屋内などに設置される各種の光ディスク再生装置を構成しても良い。
【００５７】
前述した実施例によれば、以下のピックアップ装置１が得られる。
【００５８】
（付記１）  光ディスクの径方向に沿って移動自在に設けられた移動ベース１７と、
前記光ディスクに記録された情報を読み出すとともに、前記移動ベース１７に前記光ディスクに接離する方向Ｚと前記光ディスクの径方向Ｘとの双方に沿って移動自在に設けられたアクチュエータ１８と、
一端部が前記移動ベース１７に取り付けられかつ他端部が前記アクチュエータ１８に取り付けられて、前記移動ベース１７に対し前記アクチュエータ１８を前記光ディスクに接離する方向Ｚと前記光ディスクの径方向Ｘとの双方に沿って移動自在に支持する線状弾性体１９と、
前記移動ベース１７に取り付けられかつ前記アクチュエータ１８が前記光ディスクから離れる方向に移動すると該アクチュエータ１８と当接する緩衝シート２０と、を備えたピックアップ装置１であって、
平面視において、前記アクチュエータ１８の重心ＣＧを互いの間に位置付ける位置に前記緩衝シート２０を設けたことを特徴とするピックアップ装置１。
【００５９】
（付記２）  前記緩衝シート２０は、前記線状弾性体１９の長手方向に対し直交する方向に離間して一対設けられたことを特徴とする付記１記載のピックアップ装置１。
【００６０】
（付記３）  前記緩衝シート２０は、前記線状弾性体１９の長手方向に離間して一対設けられたことを特徴とする付記１記載のピックアップ装置１。
【００６１】
（付記４）  光ディスクの径方向に沿って移動自在に設けられた移動ベース１７と、
前記光ディスクに記録された情報を読み出すとともに、前記移動ベース１７に前記光ディスクに接離する方向Ｚと前記光ディスクの径方向Ｘとの双方に沿って移動自在に設けられたアクチュエータ１８と、
一端部が前記移動ベース１７に取り付けられかつ他端部が前記アクチュエータ１８に取り付けられて、前記移動ベース１７に対し前記アクチュエータ１８を前記光ディスクに接離する方向Ｚと前記光ディスクの径方向Ｘとの双方に沿って移動自在に支持する線状弾性体１９と、
前記移動ベース１７に取り付けられかつ前記アクチュエータ１８が前記光ディスクから離れる方向に移動すると該アクチュエータ１８と当接する緩衝シート２０と、を備えたピックアップ装置１であって、
平面視において、前記アクチュエータ１８の重心ＣＧを囲む３箇所以上の位置に前記緩衝シート２０を設けたことを特徴とするピックアップ装置１。
【００６２】
なお、前述した実施例は本発明の代表的な形態を示したに過ぎず、本発明は、実施例に限定されるものではない。即ち、本発明の骨子を逸脱しない範囲で種々変形して実施することができる。
【図面の簡単な説明】
【００６３】
【図１】本発明の第１実施例にかかるピックアップ装置の平面図である。
【図２】図１に示されたピックアップ装置のピックアップ部の平面図である。
【図３】図２中のＩＩＩ−ＩＩＩ線に沿う断面図である。
【図４】図２に示されたピックアップ部のアクチュエータと緩衝シートの位置関係を平面視で示す説明図である。
【図５】図４に示されたピックアップ部の変形例のアクチュエータと緩衝シートの位置関係を平面視で示す説明図である。
【図６】本発明の第２実施例にかかるピックアップ装置のピックアップ部のアクチュエータと緩衝シートの位置関係を平面視で示す説明図である。
【図７】図６に示されたピックアップ部の変形例のアクチュエータと緩衝シートの位置関係を平面視で示す説明図である。
【図８】本発明の第３実施例にかかるピックアップ装置のピックアップ部のアクチュエータと緩衝シートの位置関係を平面視で示す説明図である。
【図９】図８に示されたピックアップ部の変形例のアクチュエータと緩衝シートの位置関係を平面視で示す説明図である。
【図１０】図８に示されたピックアップ部の他の変形例のアクチュエータと緩衝シートの位置関係を平面視で示す説明図である。
【図１１】図８に示されたピックアップ部の更に他の変形例のアクチュエータと緩衝シートの位置関係を平面視で示す説明図である。
【符号の説明】
【００６４】
１  ピックアップ装置
１７  移動ベース
１８  アクチュエータ
１９  線状弾性体
２０  緩衝シート
ＣＧ  重心
Ｘ  トラッキング方向（光ディスクの径方向）
Ｚ  フォーカス方向（光ディスクに接離する方向）
【図１】
2006012237.tif 000003
【図２】
2006012237.tif 000004
【図３】
2006012237.tif 000005
【図４】
2006012237.tif 000006
【図５】
2006012237.tif 000007
【図６】
2006012237.tif 000008
【図７】
2006012237.tif 000009
【図８】
2006012237.tif 000010
【図９】
2006012237.tif 000011
【図１０】
2006012237.tif 000012
【図１１】
2006012237.tif 000013